(57)【要約】【課題】床面を有効に利用することができ、排水性も良好であるバルコニーを提供する。【解決手段】建物外壁の室外側に設けられた床となる部分を形成する床部１０と、該床部の端部に立設された面材又は壁とを有するバルコニーにおいて、床部が、高低差を生じる傾斜を有して配置されるとともに該傾斜の最も低い部位に近接して設けられたスリット３３、３３、…を具備する板材である排水パン３０と、排水パンの下面側でスリットの下方に配置され、排水の流路を形成する樋４０と、排水パンの上面全体に配置されて床面を形成し、通水可能な部材である表装材２０とを備えるものとする。【選択図】図３
2007191898.tif 000002
【特許請求の範囲】
【請求項１】
建物外壁の室外側に設けられた床となる部分を形成する床部と、該床部の端部に立設された面材又は壁とを有するバルコニーであって、
前記床部が、
高低差を生じる傾斜を有して配置されるとともに該傾斜の最も低い部位に近接して設けられたスリットを具備する板材である排水パンと、
前記排水パンの下面側で前記スリットの下方に配置され、排水の流路を形成する樋と、
前記排水パンの上面全体に配置されて床面を形成し、通水可能な部材である表装材と、を備えるバルコニー。
【請求項２】
前記樋が、水平に配置され、
前記流路の側面を形成する一対の側板と、該一対の側板の間に配置され、前記流路の底面を形成する底板とを有し、
前記底板のみが高低差を生じる傾斜を有して配置されることにより前記流路が傾斜を有することを特徴とする請求項１に記載のバルコニー。
【発明の詳細な説明】
【技術分野】
【０００１】
本発明は、建物に備えられるバルコニーに関し、詳しくは床部を有効に利用することができるとともに排水性に優れた構造を有するバルコニーに関する。
【背景技術】
【０００２】
バルコニーは、住宅や公共施設等の建物の使用者が室内で過ごすのと同様な感覚で外気や陽光に触れることができることや、建物の外観に優れる等の観点から、新築やリフォームの際に施工する例が増加している。
【０００３】
バルコニーは室内空間の延長である印象を与える一方、建物の窓よりも室外側に配置されるので、床面に存する雨水等を適切に排出することを要する。このためにバルコニーでは、排水のための各種部材が備えられている。
【０００４】
図１１には、従来のバルコニーに備えられた排水のための部材の１つである排水パン１３０の斜視図を示した。排水パン１３０は、バルコニーの床部に敷設される板状の部材であり、バルコニーの床部に存する雨水等を排水管等に導くための部材である。図１１では、紙面右上が建物側で紙面左下に向かって該建物から離れる向きである。（以降、バルコニーの建物側を「壁側」、バルコニーの建物から離隔した側を「桁側」と記載することがある。）排水パン１３０は、平坦部１３１と該平坦部１３１の桁側の端部に配置された樋部１３２とを備えている。平坦部１３１は壁側端部から図１１に矢印Ｈで示した桁側端部に向けて傾斜を有している。この傾斜は桁側ほど、高さが低くされている。また、樋部１３２は排水パン１３０の図１１に矢印Ｊで示した方向に傾斜を有している。そして一端には排水孔１３４が設けられている。樋部１３２の傾斜は排水孔１３４が設けられた端部が最も低くされている。
【０００５】
従来のバルコニーの床部は、該床部の構造的な基礎部分である床ユニットと、該床部の上に敷設される断熱材と、この断熱材の上に配設される上述の排水パン１３０と、該排水パン１３０の平坦部１３１の上に設置される表装材とを備えている。表装材はバルコニーの床部の上面を形成し、使用者はこの表装材の上を歩くように構成されている。
【０００６】
従って、バルコニーの床部に存する雨水等は、表装材を下まで通り抜けて排水パン１３０の上面に達する。排水パン１３０の上面に達した雨水等は、図１１にＨに示した方向に流れ、樋部１３２に集められる。さらにその集められた雨水等は樋部１３２を矢印Ｊで示した方向に流れて移動し、排水孔１３４より排水される。
【０００７】
かかる排水パン１３０を有するバルコニーの構成は、当業者により通常に行われるものであり、実際に施工されるバルコニーは以上のような構造を有して建物に備えられている。
【発明の開示】
【発明が解決しようとする課題】
【０００８】
しかし、従来の排水パン１３０を備えたバルコニーでは、該排水パン１３０の平坦部１３１と樋部１３２とが一体に形成され、特に樋部１３２において傾斜を十分にとることができず、排水性に問題があった。
【０００９】
また、従来のバルコニーでは、その構成上、樋部１３２の上には表装材を配置することができず、樋部１３２が露出して段差を生じていた。これにより、樋部１３２でバルコニーの床面を利用することができずにバルコニーの床面の利用範囲が制限されていた。
【００１０】
そこで、本発明は床面を有効に利用することができ、排水性も良好であるバルコニーを提供することを課題とする。
【課題を解決するための手段】
【００１１】
以下、本発明について説明する。なお、本発明の理解を容易にするために添付図面の参照符号を括弧書きにて付記するが、それにより本発明が図示の形態に限定されるものではない。
【００１２】
請求項１に記載の発明は、建物外壁の室外側に設けられた床となる部分を形成する床部（１０）と、該床部の端部に立設された面材（６５、６５、…）又は壁とを有するバルコニー（１）であって、床部が、高低差を生じる傾斜を有して配置されるとともに該傾斜の最も低い部位に近接して設けられたスリット（３３、３３、…）を具備する板材である排水パン（３０）と、排水パンの下面側でスリットの下方に配置され、排水の流路を形成する樋（４０）と、排水パンの上面全体に配置されて床面を形成し、通水可能な部材である表装材（２０）とを備えるバルコニーを提供することにより前記課題を解決する。
【００１３】
ここでバルコニーは、その形式は限定されるものではない。これには例えば、建物外壁から直接持ち出される形式のバルコニー、柱建て式バルコニー及び造り付け式バルコニー等を挙げることができる。
【００１４】
また、排水パンの「最も低い部位」とは、バルコニーの床部のいずれかの位置に限定されるものではない。これには例えば、バルコニーの桁側や、バルコニーの中央部分、又は壁側等であっても良い。いずれの位置に最も低い部分があっても本発明のバルコニーとすることが可能である。
【００１５】
請求項２に記載の発明は、請求項１に記載のバルコニーの樋（４０）が、水平に配置され、流路の側面を形成する一対の側板（４２、４３）と、該一対の側板の間に配置され流路の底面を形成する底板（４１）とを有し、底板のみを上下方向に傾斜させて配置することにより流路に傾斜を生じることを特徴とする。
【発明の効果】
【００１６】
請求項１に記載の発明によれば、樋による段差がバルコニーの床表面に現れないので平滑な床面とすることができ、バルコニーの床面を有効に利用することができる。また、平滑であることによりすっきりとした印象を与え、意匠性にも優れるバルコニーを提供することができる。
【００１７】
請求項２に記載の発明によれば、さらに樋の底部に大きな傾斜を与えることができるので、排水性の高い床部を有するバルコニーとすることができる。
【００１８】
本発明のこのような作用及び利得は、次に説明する発明を実施するための最良の形態から明らかにされる。
【発明を実施するための最良の形態】
【００１９】
以下本発明を図面に示す実施形態に基づき説明する。
【００２０】
図１は、１つの実施形態にかかる本発明のバルコニー１が建物５に取り付けられたときにおける該バルコニー１の外観斜視図である。図１は室外側からバルコニー１を見た図である。バルコニー１は、建物５に備えられた窓２の室外側に配置され、外壁３から持ち出される形式のバルコニーである。バルコニー１はその外観視で、床部１０と該床部１０の上面端部から所定の間隔を有して立設された柱６０、６０、…とを有している。そして、該柱６０、６０、…の間には面材６５、６５、…が配置され、さらに柱６０、６０、…の上端部には、該柱６０、６０、…を渡して取り付けられた手摺部７０、７０、７０が取り付けられている。床部１０は、バルコニー１の床を形成し、建物５の外壁３から略水平に突出して配置される。また、柱６０、６０、…と面材６５、６５、…とでバルコニー１の立設された壁面を形成している。
【００２１】
面材６５、６５、…には多種多様なデザインの面材を適用することができ、これにより意匠性の優れたバルコニーを提供することができる。また、面材の代わりに壁を配置し、該壁面にサイディングを取り付けても良い。
【００２２】
本発明のバルコニーの形式は特に限定されるものではない。本実施形態では多くの住宅等に適用されているとの観点から、最も好ましい形態として建物外壁から直接持ち出される形式のバルコニー等を挙げたものである。
【００２３】
図２は、バルコニー１のみに注目して該バルコニー１を室内側から見た斜視図である。この図からわかるようにバルコニー１により、床部１０と面材６５、６５、…とによって区切られた室内側から延在する空間を形成することができる。
【００２４】
床部１０は、その上面に表装材２０を備えている。当該表装材２０は、壁（建物）側である紙面手前から桁側である紙面奥まで、床面全体に亘って略平坦に敷設されており、従来のバルコニーのような樋部が現れていない。このように本発明のバルコニー１ではバルコニー１の床部１０上面に敷設される表装材２０を床部１０上面の全面に亘って平坦に構成することができ、快適性に優れたバルコニーとすることができる。これにより使用者はバルコニー１の床面に段差がないので、該バルコニー１の床面全体を有効に利用することが可能となる。
【００２５】
次に本発明のバルコニー１の床部１０について説明する。図３はバルコニー１の床部１０の分解斜視図である。図３では紙面右が壁（建物）側、紙面左が桁側を示している。床部１０は上側から表装材２０と、排水パン３０と、樋４０と、断熱材４８と、床ユニット５０と、排水管８０とをこの順に備えている。図３及び適宜示す図を参照しつつ、各構成部材について説明する。
【００２６】
表装材２０は、第一表装材２１と、該第一表装材２１の桁側端部に設けられた第二表装材２２とを有している。図４に表装材２０の平面図を示した。図４では、紙面上が桁側、紙面下が壁側である。第一表装材２１は、矩形の小片２１ａ、２１ａ、…が平面状に並べられたように形成された表装材である。第二表装材２２は、バルコニー１の壁−桁方向と水平面上で直交する方向である左右方向（以下、単に「左右方向」と記載することがある。）を長手方向とする長い棒材２２ａ、２２ａ、…が所定の間隔で壁−桁方向に並べられたように形成された表装材である。
【００２７】
いずれの表装材２１、２２も上面から下面へ水が抜けることができる通水可能な部材である。表装材としては、通水可能な部材であればいかなる部材も使用することができる。これには、例えば上下に貫通した孔を有する板状の部材や、いわゆるスノコ、又は上下に貫通する多くの小径の孔を有する部材等であっても良い。本実施形態ではこれらの中でもバリエーションの豊富なことやデザイン性、強度等の観点から、タイル（磁器、石器）、木粉配合樹脂、天然木及び樹脂等の材料に上下に貫通した孔を設けたものを使用している。
【００２８】
また、表装材２１、２２は、該表装材２１、２２の下面が後述する排水パン３０との間に所定の間隙を有して配置されるようにスペーサー部を有している。これにより、第一表装材２１及び第二表装材２２の上面に存する雨水等の水は、第一及び第二表装材２１、２２の下面側へ移動し、さらに、該第一及び第二表装材２１、２２の下方を壁−桁、及び左右方向に移動することができる。
【００２９】
また、図４にＡ及びＢで示した表装材２０の大きさはバルコニー１の床面と略同一である。そして第一表装材２１及び第二表装材２２の上面は略面一であり、段差なく構成されている。これにより、表装材２０は、バルコニー１の床面全体に亘るとともに全面で平滑とすることができる。
【００３０】
排水パン３０は全体として板状の部材である。図５に排水パン３０及び該排水パン３０の壁側端部に取り付けられた壁際水切り３５の平面図を示した。図５では、紙面上が桁側、紙面下が壁側である。排水パン３０は平滑部３１と、該平滑部３１の桁側に設けられたスリット部３２とを備えている。また、平滑部３１の壁側端部には、該端部に沿って配置された壁際水切り３５を有している。平滑部３１は平板状の部位である。スリット部３２は平滑部３１の桁側に設けられた部位で、該スリット部３２には、壁−桁方向を長手方向とするスリット３３、３３、…が左右方向に所定の間隔を有して並べられている。また、スリット部３２の左右方向の一端には貫通孔３４が設けられている。
【００３１】
一方、壁際水切り３５は、平滑部３１の壁側端部に設けられた部材である。図６に図３にＣで示した部位を拡大した図を示した。この図からわかるように、壁際水切り３５は、略矩形断面を有する筒状部材で、その長手方向が平滑部３１の壁側端部に沿って、該平滑部３１の上側に凸となるように配置されている。また、壁際水切り３５の上面は桁方向が低くなるように傾斜が設けられている。これにより、バルコニー１の壁際端部に存する雨水等も滞ることなく確実に平滑部３１に流れ込むことができる。
【００３２】
また、図５にＤ及びＥで示した排水パン３０の大きさについてもバルコニー１の床面部分と略同一である。そして平滑部３１とスリット部３２とは面一であり、段差なく構成されている。
【００３３】
次に樋４０について説明する。図７（ａ）に樋４０の左側面図、図７（ｂ）に断面図、及び図７（ｃ）に樋４０の右側面図をそれぞれ示した。図７（ｂ）の断面図は、図７（ａ）にＩ−Ｉで示した線に沿った面における長手方向垂直断面である。図３及び図７を参照しつつ樋４０について説明する。樋４０は、底板４１と、一対の側板４２、４３とを備えている。側板４２、４３はＬ字型断面を有する長尺部材であり、該Ｌ字型の断面における一辺を垂直に、他辺を上側に水平に配置された部材である。一対の側板４２、４３は図７（ａ）に示したように対向して平行に配置され、長手方向がバルコニー１の左右方向に向けられる。底板４１は、略コの字断面を有する長尺部材である。底板４１のコの字断面の対向する辺を垂直とし、該対向する辺の間の水平となる辺が下側となるように配置される。また、その長手方向の一端には貫通孔４５が設けられている。
【００３４】
底板４１の側板４２、４３への取り付けは、底板４１を側板４２と側板４３との間に配置し、底板４１の垂直部と側板４２、４３の垂直部とをリベット４４、４４、４４、４４等の固定部材によって接合することにより行う。このとき、図７（ａ）及び図７（ｃ）からわかるように、長手方向で底板４１の高さ位置を変えて該底板４１を側板４２、４３に取り付けることによって、底板４１が傾斜を有して配置される。これにより、十分に大きな傾斜を形成することができ、排水性の高い樋４０を有するバルコニー１とすることができる。底板４１の低く取り付けられる端部に貫通孔４５が設けられている。
【００３５】
断熱材４８は、断熱性を有する板材である。断熱材４８の厚みは床部１０に配置されたときに、壁（建物）側が厚く、桁側が薄くなるように形成されている。これにより、後述のように、雨水等を樋４０に集めることが可能となる。断熱材４８には断熱性を有するあらゆるものを適用することができる。これには例えばスチレンフォームやウレタンフォームを挙げることができる。この中でもコストや取り扱いの容易等の観点からスチレンフォームが好ましく使用される。
【００３６】
床ユニット５０は、バルコニー１の床部１０における構造的な基体となる部位である。図８に床ユニット５０の壁−桁方向の垂直断面図を示した。図３及び図８を参照しつつ、床ユニット５０の説明をする。床ユニット５０は、腕木５１、５１、５１と、床フレーム５２、５２、５２と、床下地材５３と、水切り５４、５４、５４と、軒天５５と、壁側軒天受け５６と、桁側軒天受け５７と化粧材５８、５８、５８とを備えている。腕木５１、５１、５１は、壁−桁方向に水平に配置され、建物側の一端を該建物の柱等に固定して取り付けられた棒状の部材である。本実施形態では３本の腕木５１、５１、５１が配設されている。腕木５１、５１、５１は所定の間隔を有して配置され、両端に設けられた２本の腕木５１、５１はバルコニー１の左右方向端部に配設されている。
【００３７】
床フレーム５２、５２、５２は、３つの筒状の長尺部材が組み合わされてフレームを形成しているものである。このうち２つの床フレーム５２、５２は３本の腕木５１、５１、５１のうちの両端に配置された２本の腕木５１、５１に沿ってそれぞれ取り付けられる。もう１つの床フレーム５２は、腕木５１、５１に取り付けられた床フレーム５２、５２の桁側端部を渡すように該床フレーム５２、５２にその両端部を固定される。このようにして床フレーム５２、５２、５２によりバルコニー１の床部１０の外枠形状が形成される。
【００３８】
床下地材５３は、波状の断面を有する板状の部材で腕木５１、５１に取り付けられた床フレーム５２、５２の間に、該床フレーム５２、５２にその両端を固定されて取り付けられる。図８からわかるように床下地材５３の桁側端部は桁側に配置された床フレーム５２とは間隙を有して配置されている。床下地材５３によりバルコニー１の床面の基礎となる部分が構成される。
【００３９】
水切り５４、５４、５４は、床フレーム５２、５２、５２の上面に、該床フレーム５２、５２、５２に沿って取り付けられる長尺の部材である。水切り５４、５４、５４のバルコニー１の内側の上面は、該バルコニー１の内側が低くなるように傾斜が設けられている。これにより水切り５４、５４、５４に存する雨水等は、バルコニー１の床面側に落ちて適切に排水される。
【００４０】
軒天５５は板状の部材で、該軒天５５によって、バルコニー１の下面を保護するとともに、バルコニー１の下面を意匠性に優れたものとしている。
【００４１】
壁側軒天受け５６及び桁側軒天受け５７はコの字の断面を有する棒状の部材である。壁側軒天受け５６は、床下地材５３の建物側端部の下面側に、バルコニー１の左右方向に平行に取り付けられている。一方、桁側軒天受け５７は、桁側に配置された床フレーム５２に沿って取り付けられている。壁側軒天受け５６及び桁側軒天受け５７はコの字である断面の開口部が対向するように配置され、該コの字の内側に軒天５５の壁側及び桁側端部が差し込まれる。これによって、軒天５５がバルコニー１の床部１０の下面に安定して取り付けられる。
【００４２】
化粧材５８、５８、５８は、板状の部材で床ユニット５０の側面に沿って該側面を囲むように配置されている。化粧材５８、５８、５８は上端側を水切り５４、５４、５４で、下端を桁側軒天受け５７に挟まれるように取り付けられている。化粧材５８、５８、５８により床部１０の側面が保護されるとともにその該床部１０の意匠性が向上されている。
【００４３】
本発明のバルコニー１は以上のような構成を備えた床ユニット５０を備えている。
【００４４】
排水管８０は、樋４０の貫通孔４５に接続された管であり、排水された雨水等を適切な場所に誘導するためのものである。
【００４５】
次に、以上のような各部材を有するバルコニー１の床部１０の各部材の配置について説明する。図９は組み立てられた床部１０の壁−桁方向の垂直断面図である。図９では紙面右が壁（建物）側、紙面左が桁側である。上述したように組み立てられた床ユニット５０の床下地材５３の上に断熱材４８が載置される。断熱材４８は上述のように壁（建物）側で厚く、桁側で薄く形成されているので、壁側から桁側に向けて低くなるような傾斜を有して取り付けられる。一方、床下地材５３の桁側端部と床フレーム５２との間に樋４０が配置され、該樋４０は床下地材５３及び床フレーム５２に固定される。このとき断熱材４８の上面と樋４０の上面とは略面一になるように配置される。
【００４６】
このように設置された断熱材４８及び樋４０の上面に排水パン３０が取り付けられる。このとき排水パン３０のスリット３３、３３、…は樋４０の開口部分の上方に配置されるように取り付けられる。そして該排水パン３０の上にさらに表装材２０が載置される。このように、排水パン３０が平滑に樋４０の上に配置されるので、その上に配置される表装材２０も平滑に載置することができる。よって、樋４０があるにもかかわらず床面全体が平滑であるバルコニー１を提供することができる。
【００４７】
これにより使用者は、バルコニーの限られたスペースを有効に、快適に利用することが可能となる。また、フラットですっきりとした印象を与えることができ、意匠性にも優れたバルコニー１とすることができる。
【００４８】
また、バルコニー１が組み立てられた際に、図５に示した排水パン３０の貫通孔３４は、樋４０の貫通孔４５の真上に配置される。これにより例えば排水管８０の入り口である貫通孔４５の部位がゴミ等により詰まった場合にも、排水パン３０を移動することなく貫通孔３４からゴミ等を取り去ることができる。
【００４９】
次に、バルコニー１の床部１０に存する雨水等が排水されるときの水の流れの概略を説明する。図１０に模式図を示した。図１０では理解し易さのためバルコニーの床部１０のみを示し、さらに表装材２０も省略している。床部１０に降り注いだ雨水等は、表装材２０の下面まで通過し、排水パン３０の上面に達する。排水パン３０に達した水は、排水パン３０の傾斜により図１０にＦ、Ｆ、Ｆ、Ｆで示した矢印の方向に移動し、スリット３３を通過して、樋４０に落下する。このようにして樋４０に集められた水は、樋４０の底板４１の傾斜によって図１０に矢印Ｇで示した方向に移動し、貫通孔４５を通過して排水管８０により排水される。
【００５０】
このように、雨水等の排水が円滑に行われる。このとき上述したように樋４０の底板４１は十分な傾斜を有しているので、本発明は排水性の高いバルコニー１を提供することが可能となる。
【００５１】
本実施形態において樋４０はバルコニー１の桁側に配置されたが、樋４０が壁側に配置されても本発明のバルコニーとすることができる。この場合には、断熱材の傾斜が壁（建物）側で最も低くされていれば良い。このように、樋の位置は特に限定されるものではなく、排水パンが樋の上に配置されて床部の表面に段差が現れず、床面が平滑であれば本発明のバルコニーとすることが可能である。本実施形態では、最も好ましい形態として住宅等によく採用される桁側に樋が配置されたものとした。
【００５２】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うバルコニーも本発明の技術的範囲に包含されるものとして理解されなければならない。
【図面の簡単な説明】
【００５３】
【図１】本発明の１つの実施形態にかかるバルコニーが建物に取り付けられた姿勢における該バルコニーの室外側斜視図である。
【図２】バルコニーの室内側斜視図である。
【図３】バルコニーの床部の分解斜視図である。
【図４】表装材の平面図である。
【図５】排水パンの平面図である。
【図６】壁側水切りの設置された部分の端部を拡大して示した斜視図である。
【図７】樋の右側面図、長手方向垂直断面図、及び左側面図である。
【図８】床ユニットの壁−桁方向垂直断面図である。
【図９】床部の壁−桁方向垂直断面図である。
【図１０】排水の順を模式的に示した斜視図である。
【図１１】従来のバルコニーに備えられる排水パンを説明するための斜視図である。
【符号の説明】
【００５４】
１  バルコニー
２  開口部装置
３  壁
５  建物
１０  床部
２０  表装材
３０  排水パン
４０  樋
４８  断熱材
５０  床ユニット
６０  柱
６５  面材
７０  手摺部
８０  排水管
【図１】
2007191898.tif 000003
【図２】
2007191898.tif 000004
【図３】
2007191898.tif 000005
【図４】
2007191898.tif 000006
【図５】
2007191898.tif 000007
【図６】
2007191898.tif 000008
【図７】
2007191898.tif 000009
【図８】
2007191898.tif 000010
【図９】
2007191898.tif 000011
【図１０】
2007191898.tif 000012
【図１１】
2007191898.tif 000013